(57)【要約】【課題】グリップ部材の先端面側及び／又は後端面側に配設した口先部材や装飾リング等の付設部材が回転しやすい筆記具を簡単な構造で提供することにある。【解決手段】軸筒の把持部に、弾性体からなるグリップ部材を装着し、前記グリップ部材の先端面側及び／又は後端面側に、軸筒に対して回転可能に付設部材を装着してなる筆記具であって、前記グリップ部材と付設部材間に樹脂ワッシャーを介在するとともに、前記グリップ部材が、前記樹脂ワッシャーに圧接して装着してあることを特徴とする。【選択図】図２
2008254370.tif 000002
【特許請求の範囲】
【請求項１】
軸筒の把持部に、弾性体からなるグリップ部材を装着し、前記グリップ部材の先端面側及び／又は後端面側に、軸筒に対して回転可能に付設部材を装着してなる筆記具であって、前記グリップ部材と付設部材間に樹脂ワッシャーを介在するとともに、前記グリップ部材が、前記樹脂ワッシャーに圧接して装着してあることを特徴とする筆記具
【請求項２】
前記樹脂ワッシャ−が、前記グリップ部材又は付設部材と同色、或いは透明であることを特徴とする請求項１に記載の筆記具
【請求項３】
前記樹脂ワッシャ−の軸心方向長さが、０．０１ｍｍ以上、０．５ｍｍ以下であることを特徴とする請求項１または２に記載の筆記具
【発明の詳細な説明】
【技術分野】
【０００１】
本発明は、軸筒の把持部に、弾性体からなるグリップ部材を、軸心方向の長さが圧縮した状態に装着し、前記グリップ部材の先端面側及び／又は後端面側に、軸筒に対して回転可能に付設部材を装着してなる筆記具に関する。
【背景技術】
【０００２】
従来から、軸筒の把持部に、弾性体からなるグリップ部材を着脱自在に装着した筆記具はよく知られている。
【０００３】
こうした筆記具の軸筒において、口金等の付設部材によってグリップ部材の軸心方向の長さを圧縮した状態に装着し、口金部材とグリップ部材の間隙を形成しない構造も知られていて、本願出願人は、特開２００２−２１９８９６号公報「筆記用の軸筒」にて、口先部材の後端面とグリップ部材の先端面との回転抵抗を減少し、口金の締め付け力を低減する筆記具の軸筒を開示している。
【特許文献１】「特開２００２−２１９８９６号公報」
【発明の開示】
【発明が解決しようとする課題】
【０００４】
しかしながら、特許文献１は、グリップ部材の先端面に凹部を形成して、接触面積を少なくしてあるため、グリップ部材の肉厚をある程度厚くする必要があり、口先部材の後端面に凹部を形成する場合も同様に、口先部材の後端面の面積を大きくする必要があり、形状が制約されてしまう問題があった。
【０００５】
ところで、装飾リングや操作体等、軸筒に対して回転可能に装着した部材は、口先部材に比べ、回転操作する頻度が高く、軸筒に装着したグリップ部材に当接すると、回転抵抗が大きくなり、グリップ部材から離間した位置に配設することが一般的であり、デザインが制約されるという問題があった。
【０００６】
本発明はこうした問題に鑑み、グリップ部材の先端面側及び／又は後端面側に配設した口先部材や装飾リング等の付設部材が回転しやすい筆記具を簡単な構造で提供することにある。
【課題を解決するための手段】
【０００７】
本発明は、軸筒の把持部に、弾性体からなるグリップ部材を装着し、前記グリップ部材の先端面側及び／又は後端面側に、軸筒に対して回転可能に付設部材を装着してなる筆記具であって、前記グリップ部材と付設部材間に樹脂ワッシャーを介在するとともに、前記グリップ部材が、前記樹脂ワッシャーに圧接して装着してあることを特徴とする。
【０００８】
また、前記樹脂ワッシャ−が、前記グリップ部材又は付設部材と同色、或いは透明であることを特徴とする。
【０００９】
更にまた、前記樹脂ワッシャ−の軸心方向長さが、０．０１ｍｍ以上、０．５ｍｍ以下であることを特徴とする。
【００１０】
尚、本発明における付設部材とは、軸筒の把持部に装着したグリップ部材の両端部に配設する部材のことであり、後軸、口先部材、装飾リング、操作体等、筆記具の軸筒に配設する従来から知られている部材のことである。
【発明の効果】
【００１１】
本発明は、グリップ部材の先端面側及び／又は後端面側に配設した口先部材や装飾リング等の付設部材が回転しやすい筆記具を簡単な構造で提供することができた。
【発明を実施するための最良の形態】
【００１２】
次に図面を参照しながら、本発明の筆記具の実施例を説明するが、本発明は以下の実施例に限定されるものではない。
【００１３】
実施例１
図１から図４に示す実施例１の筆記具１は、前軸２と内部胴４を着脱自在に螺着し、内部胴４を被覆するように後軸３を装着して軸筒本体を構成し、前軸２の先端の雄ねじ部に黄銅を切削加工することにより形成した口先部材６の雌ねじ部を着脱自在に螺着し、前軸２の把持部に、予めシリコーンゴムにて成形したグリップ部材５を配設してある。また、グリップ部材５と後軸３間に、アルファベット記号を表示した表示部Ｍを周上に設け、この表示部Ｍを覆うように、レンズ部１６を有する装飾リング１５を回転可能に配設してある。
【００１４】
また、内部胴４内にＰＯＭ樹脂で形成した回転カム１１からなる出没機構を具備している。この出没機構は、従来から知られているもので、簡単に説明すると、内部胴４の内壁面に回転カム１１を前後に摺動案内し回転させるためのカム溝（図示せず）を形成し、このカム溝に、回転カム１１に形成した突起を係合して配設してある。回転カム１１の後端には、回転カム１１を摺動し回転を付与するためのカム部を先端に有した押し棒１０を配設し、さらにその後端にノック体８を、後軸３及び内部胴４より外方に突出した状態に配設した構造である。また、ノック体８にはノック体カバー９を装着してある。
【００１５】
回転カム１１の前方には、筆記具用インキ（図示せず）を収容したインキ収容管１２の先端部に、ボールを回転自在に包持したボールペンチップ１３を装着したボールペンレフィルをコイルスプリング１４により後軸３後端方向へ付勢して、摺動自在に配設してあり、口先部材６を取り外すことで、ボールペンレフィルを交換可能としてある。
【００１６】
ノック式の筆記具１を使用するには、ノック体８を押圧して押し棒１０を押圧し、さらに回転カム１１をカム溝（図示せず）に沿って前進させ、押し棒１０のカム部の作用により回転カム１１を回転させて、ボールペンチップ１３を口先部材６の先端開口部６ａより突出させて使用することができる。さらにノック体８を押圧すると、押し棒１０のカム部の作用により回転カム１１を回転させ、コイルスプリング１４の付勢力によって回転カム１１をカム溝（図示せず）に沿って後退させ、ボールペンチップ１３を没入することができる。
【００１７】
装飾リング１５は、後軸３の先端面とグリップ部材５の後端面５ａとの間に配設するが、後軸３の先端面３ａ及びグリップ部材５の後端面５ａとの間に隙間ができると、見栄えも悪く、且つ不用意に装飾リング１５が回転してしまう問題があるため、口先部材６の螺合が終了した時点で、グリップ部材５が、口先部材６と装飾リング１５間で圧縮した状態に装着してある。
【００１８】
しかし、装飾リング１５をグリップ部材５の後端面５ａに圧接して配設すると、装飾リング１５を回転させるのに必要な回転抵抗が大きく、回転しにくくなる傾向となるので、装飾リング１５とグリップ部材５間に、ＰＥＴ樹脂等で形成した樹脂ワッシャー１７を介在させてある。この樹脂ワッシャー１７を介在させることで、グリップ部材５を圧縮した状態に装着しても、装飾リング１５は樹脂ワッシャー１７と接触しているため、回転抵抗を低減でき、回転操作性を向上することができる。
【００１９】
また、樹脂ワッシャー１７は、予め成形によって形成されるため、所望の色にすることが容易であって、グリップ部材５又は装飾リング１５と同色又は透明にすることによって、外観上はグリップ部材５と装飾リング１５が連接しているように見える。更にまた、樹脂ワッシャー１７の軸心方向の長さ（厚さ）を０．０１ｍｍ〜０．５ｍｍにすることよって、外部から視認し難くすることもできる。また、グリップ部材５と装飾リング１５間に樹脂ワッシャー１７を介在させるだけなので、装飾リング１５の位置を適宜設定でき、且つグリップ部材５、樹脂ワッシャー１７、装飾リング１５を同一方向から組立てが可能であり、組立性が向上し、特に機械組みに好適である。
【００２０】
尚、樹脂ワッシャーの厚さが０．０１ｍｍ未満だと、装飾リングの回転や組立時に折れ曲りやすく、０．５ｍｍを超えると、グリップ部材又は装飾リングと同色としても樹脂ワッシャーが外部から視認し易く、グリップ部材又は装飾リングとの一体感を損なうため、０．０１ｍｍ〜０．５ｍｍが好ましく、更に好ましくは０．３ｍｍ以下とする。
【００２１】
また、装飾リング１５には、軸心対して垂線方向に突出した凸部１５ａを形成し、この凸部１５ａに頂面を円弧状としたＰＣ樹脂からなるレンズ部１６を配設し、凸部１５ａが、軸筒の軸心から最も離間して形成してある。
【００２２】
このように、装飾リング１５に、軸心対して垂線方向に突出した凸部１５ａを形成することによって、指等が当接しやすく、装飾リング１５を回転操作が容易になる。また、装飾リング１５を回転操作するときに、クリップ部材等の軸筒本体から外方に突出した部分を有すると回転操作し難く、クリップ部材を上向きにして筆記する時に、レンズ部１６の位置が周方向にずれることがあり、表示部Ｍが見にくいため、クリップ部材等、軸筒本体から外方に突出した部分を形成しないことが最も好ましい。そのため、凸部１５の頂部を、軸筒の軸心から最も離間して形成することによって、クリップ部材を付設してない筆記具であっても、机などから筆記具が転がり、落下するのを防止できるといった相乗効果を得られる。
【００２３】
また図示はしていないが、口先部材６とグリップ部材５間にも、グリップ部材５と同色の樹脂ワッシャーを介在させ、口先部材６の後端面とグリップ部材５の先端面との回転抵抗を減少し、口金の締め付け力を低減することが好ましい。
【００２４】
尚、本実施例では、便宜上、後軸内に内部胴を配設し、この内部胴にカム溝（図示せず）、回転カム等の出没機構を具備してあるが、後軸に直接、カム溝（図示せず）を形成し、回転カム等の出没機構を具備してもよいし、出没機構を具備しないキャップ式筆記具の軸筒としてもよい。
【００２５】
また、実施例では、便宜上、樹脂ワッシャーとしてＰＥＴ樹脂を用いているが、アクリル樹脂、ＰＣ樹脂、ＰＰ樹脂等を適宜選択して用いることができる。
【００２６】
また、実施例では、付設部材として、装飾リングや口先部材を例示しているが、グリップ部材の先端面側及び／又は後端面側に、軸筒に対して回転可能に装着する部材であれば、後軸や中間胴等、筆記具の部材として知られているものであれば、特に限定されるものではない。
【産業上の利用可能性】
【００２７】
本発明の筆記具は、筆記体の種類やノック式、キャップ式に限定されることなく、筆記具として広く実施可能であり、軸筒に対して回転可能な付設部材をグリップ部材に当接して配設できるため、デザインの幅を広げることができる。
【図面の簡単な説明】
【００２８】
【図１】本発明の筆記具を示す、縦断面図である。
【図２】図１における一部省略した展開図である。
【図３】図１における一部省略したＡ−Ａ拡大断面図である。
【図４】図１における一部省略した要部拡大断面図である。
【符号の説明】
【００２９】
１  筆記具
２  前軸
３  後軸
４  内部胴
５  グリップ部材
５ａ  先端面
６  口先部材
７  滑り止め部材
８  ノック体
８  ノック体カバー
１０  押し棒
１１  回転カム
１２  インキ収容筒
１３  ボールペンチップ
１４  コイルスプリング
１５  拡大鏡
１６  レンズ部
１７  樹脂ワッシャー
【図１】
2008254370.tif 000003
【図２】
2008254370.tif 000004
【図３】
2008254370.tif 000005
【図４】
2008254370.tif 000006